(57)【特許請求の範囲】
【請求項１】
底壁面と、底壁面の後側に起立した後壁と、前方から後方にかけて内方に傾斜する左右側壁とを有し、前記後壁の左右方向の幅を前記左右側壁の前方側端部で形成される幅よりも広く形成し、前記底壁面の側面と前記後壁の側面とで形成される左右最突出端面を前記後壁から前方にかけて所定長さだけ形成した擁壁ブロックを複数個配列して擁壁を形成する擁壁の施工方法であって、隣り合う擁壁ブロックの前記左右最突出端面同士を当接させて擁壁を構成し、凹状曲面となっている被擁壁面での施工において、被擁壁面が緩やかな曲面である場合には、当接させる前記左右最突出端面同士の後方側に隙間を設けて施工し、被擁壁面が急な曲面である場合には、当接させる前記左右最突出端面の一方の前記左右最突出端面を裁断して施工することを特徴とする擁壁の施工方法。
【発明の詳細な説明】
【０００１】
【産業上の利用分野】
本発明は河川の護岸や道路の法止めあるいは住宅用地の外壁に使用される擁壁ブロックおよびそれを利用した擁壁に関するものである。
【０００２】
【従来の技術】
河川の護岸、あるいは道路側壁や住宅用地の外壁の崩れや侵食を防止するためには、従来、側壁や斜面壁部の表面にコンクリートの壁を張り詰めたり、コンクリート製のブロックやレンガブロックを一面に積み上げて側壁の崩れを防止したり、雨や川の水による土壁の侵食を防止している。
【０００３】
【発明が解決しようとする課題】
これらのコンクリート壁やブロックを一面に張り詰める方法は、護岸や擁壁の崩落防止という観点からは効果があるが、景観上はいかにも人工色が強く無味乾燥である。また草花などの植物や昆虫などの小動物に対しては、それらの生育や生存を妨げるので、生態系にとっては必ずしも好ましいものではない。
例えば、河川の護岸用としてコンクリートを張り詰めたりブロックを積み上げたりした場合には、魚や昆虫の生息する場所がなくなり、草木も生えてこない。同様に、道路側壁の法止めの場合にも草木が生えてこないため自然の生態系を損なうばかりでなく、外観的にも無機質な壁であるため変化に乏しく、観る者にとっては精神的に不安定になりやすい。
【０００４】
本発明は、上記のような問題を解決するもので、動植物などの自然と共存し、人間にも安らぎを与える護岸用の擁壁ブロックおよびそれを利用した擁壁を提供することを目的とする。
【０００５】
【課題を解決するための手段】
請求項１に記載の本発明の擁壁の施工方法は、底壁面と、底壁面の後側に起立した後壁と、前方から後方にかけて内方に傾斜する左右側壁とを有し、前記後壁の左右方向の幅を前記左右側壁の前方側端部で形成される幅よりも広く形成し、前記底壁面の側面と前記後壁の側面とで形成される左右最突出端面を前記後壁から前方にかけて所定長さだけ形成した擁壁ブロックを複数個配列して擁壁を形成する擁壁の施工方法であって、隣り合う擁壁ブロックの前記左右最突出端面同士を当接させて擁壁を構成し、凹状曲面となっている被擁壁面での施工において、被擁壁面が緩やかな曲面である場合には、当接させる前記左右最突出端面同士の後方側に隙間を設けて施工し、被擁壁面が急な曲面である場合には、当接させる前記左右最突出端面の一方の前記左右最突出端面を裁断して施工することを特徴とする。
【０００６】
【発明の実施の形態】
本発明の第１の実施の形態による擁壁の施工方法は、凹状曲面となっている被擁壁面での施工において、被擁壁面が緩やかな曲面である場合には、当接させる左右最突出端面同士の後方側に隙間を設けて施工し、被擁壁面が急な曲面である場合には、当接させる左右最突出端面の一方の左右最突出端面を裁断して施工するものであり、左右最突出端面は、後壁から前方にかけて所定長さだけ形成しているので、被擁壁面が緩やかな曲面であっても急な曲面であっても、擁壁ブロック同士の後方での隙間を少なくすることができる。従って、この隙間に流し込むコンクリートなどの結合材の量を少なくすることができ、施工性が容易となる。
【０００７】
【実施例】
以下、本発明の擁壁ブロックの一実施例を図面に基づいて説明する。
図１は本発明による擁壁ブロックの斜視図、図２は側面図である。底面壁１１の後端に後壁１２が起立している。底面壁１１上の左右両端には、前方から後方へかけてくの字型に内方に傾斜し後壁１２にまで延びた左側壁１３および右側壁１４が形成されている。左側壁１３および右側壁１４の傾斜部中央付近にはそれぞれ貫通穴１３１、１４１が形成され、またその前方付近の壁部にはそれぞれ一対の貫通小穴１３２、１３３および貫通小穴１４２、１４３が形成されている。底面壁１１には２つの貫通穴１１１、１１２が形成されている。後壁１２の両端部の上面には細長状の小穴１２１、１２２が形成されており、この小穴１２１、１２２内にネジ溝を有する金属製のインサート部材１５１、１５２が埋め込まれている。底面壁１１下部には施工時の位置決めとずれを防止するための凸状構造をしたストッパ１１３が形成されている。
【０００８】
つぎに、施工方法を説明する。図３は本発明による擁壁ブロック１０を積み上げて施工したときの正面図、図４は側面図である。擁壁ブロック１０を各段ごとに互い違いに配列し、各擁壁ブロック１０の底面壁１１における貫通穴１１１、１１２にネジを形成したボルト１６１、１６２を挿入し、下方の擁壁ブロック１０の後壁１２に埋め込んだインサート部材１５１、１５２にネジ止めする。このとき、上方の擁壁ブロック１０の底面壁１１の下方に形成されているストッパ１１３と下方擁壁ブロック１０の後壁１２を当接させることにより位置決めが行われる。こうして上下方向に積み重ねることにより擁壁２０が階段状に形成される。この構造体を川岸や道路側壁、或いは住宅地の斜面２１上に配置し、両者の間の隙間２２にコンクリートなどの結合材２３を流し込んで固定する。これにより斜面を保護する擁壁２０が構築される。
こうして構築された擁壁２０が河川の水中にある場合には、河川の流れが擁壁ブロック１０の左右側壁１３、１４に形成された貫通穴１３１、１４１を通過する際に流速が遅くなるので、各擁壁ブロック１０の底面壁１１、後壁１２、左右側壁１３、１４および上方の擁壁ブロック１０の底面壁で囲まれた空間１０１が魚類などの休息所や川藻類の生育場となり、河川との自然共生を図ることが出来る。
また、陸上に露出した擁壁２０は、各擁壁ブロック１０の壁面で囲まれた空間１０１内に植物を植えることにより擁壁２０の表面が植物で覆われるので、心に安らぎを与える擁壁を構築することが出来る。
【０００９】
図５は擁壁を形成する壁面が曲線状に曲がっている場合の施工状況を上方から見た平面図である。壁面が曲線状に曲がっている場合は、横方向に並ぶ擁壁ブロック１０を曲面に合わせて両者の間に隙間１７を形成して配列する。この隙間１７内にはコンクリートなどの結合材を流し込んで固定する。
【００１０】
図６は擁壁ブロック１０の後壁１２が斜め後方に起立した場合の実施例である。この実施例による擁壁ブロックによれば、上下に積み上げたときに図７に示すように斜面側に接する側の形状が斜面の形状に近いものになる。したがって、斜面と擁壁２０間の隙間が小さくなるので、この隙間に流し込むコンクリートなどの結合材の使用量が少なくなる。
【００１１】
図８は擁壁ブロック１０の前面にパネル３０を形成した実施例である。パネル３０は側面にインサート部材３１が埋め込まれており、擁壁ブロック１０の左右側壁１３、１４に形成された貫通小穴１３２、１３３、１４２、１４３に通したネジ付ボルト３３で固定する。擁壁２０の施工方法は上述の方法と同様である。
この実施例によれば、各擁壁ブロック１０の壁面と前面ブロックにより閉鎖空間１０２が形成されるので、河川内では水流は一層遅くなって魚類の休息所や川藻の生育場所として一層好適であり、また、陸上では植生場所が囲まれた空間となるので、植物が落下する恐れがなくなる。また、前面パネル３０の表面に図３に示したように模様３２を形成することにより景観上も植物と前面パネル３０の模様が混ざり合って一層変化に富んだものとなる。
【００１２】
図９は擁壁ブロック１０の空間１０１内に金属またはプラスチック製のメッシュ状の籠４０を配置し、この籠４０内に植物を生育させる実施例である。籠４０は擁壁ブロック１０の空間１０１に対して着脱自在に形成し、擁壁ブロック１０に対して植物を生育させるには、別の場所で鉢等の植えた植物を籠４０に挿入し、この植物を挿入した籠４０を図３に示すように擁壁ブロック１０の空間１０１に納めることにより行われる。擁壁ブロック１０に設定した植物の交換やメンテナンスは植物を擁壁ブロック１０から籠４０ごと取り外し、新しいものと交換すればよい。取り外した籠４０の植物は現地ではなく植木店などで交換またはメンテナンスを施して新しい物として別の場所の擁壁２０で再利用することが出来る。
【００１３】
以下、本発明の擁壁ブロックの他の実施例を図面に基づいて説明する。
図１０は本実施例による擁壁ブロック１０Ａの斜視図、図１１は同擁壁ブロック１０Ａの平面図である。擁壁ブロック１０Ａは、底面壁１１の後端に後壁１２が起立している。底面壁１１上の左右両端には、前方から後方へかけてくの字型に内方に傾斜し後壁１２にまで延びた左側壁１３および右側壁１４が形成されている。ここで、後壁１２の左右方向の幅は、左側壁１３と右側壁１４との前方側端部で形成される幅よりも広く形成している。また底壁面１１の側面と後壁１２の側面とで形成される左右最突出端面１７０を後壁１２から前方にかけて所定長さＬ１だけ形成している。この所定長さＬ１を、後壁１２から左側壁１３及び右側壁１４の前方側端部までの長さＬ２の半分以下とすることで、擁壁ブロック１０Ａ同士の後方での隙間を効果的に少なくすることができる。なお、後壁１２から左側壁１３及び右側壁１４の前方側端部までの長さＬ２を８００ミリメートルとした場合には、所定長さＬ２は３５０ミリメートルとすることが好ましい。ちなみに後壁１２の左右方向の幅は１９９８ミリメートル、左側壁１３と右側壁１４との前方側端部で形成される内壁面側の幅は１２９８ミリメートルとした。
左側壁１３および右側壁１４の傾斜部中央付近にはそれぞれ貫通穴１３１、１４１が形成され、またその前方付近の壁部にはそれぞれ一対の貫通小穴１３２、１３３および貫通小穴１４２、１４３が形成されている。底面壁１１には２つの貫通穴１１１、１１２が形成されている。後壁１２の両端部の上面には細長状の小穴１２１、１２２が形成されており、この小穴１２１、１２２内にネジ溝を有する金属製のインサート部材１５１、１５２が埋め込まれている。底面壁１１下部には施工時の位置決めとずれを防止するための凸状構造をしたストッパ１１３、１１４が形成されている。
【００１４】
つぎに、施工方法を説明する。図１２は本実施例による擁壁ブロック１０Ａを積み上げて施工したときの平面図である。擁壁ブロック１０Ａを各段ごと半ブロック分だけずらして互い違いに配列し、隣り合う擁壁ブロック１０Ａの左右最突出端面１７０同士を当接させて擁壁を構成する。このとき、各擁壁ブロック１０Ａの底面壁１１における貫通穴１１１、１１２にネジを形成したボルト１６１、１６２を挿入し、下方の擁壁ブロック１０Ａの後壁１２に埋め込んだインサート部材１５１、１５２にネジ止めする。そして、上方の擁壁ブロック１０Ａの底面壁１１の下方に形成されているストッパ１１３、１１４と下方擁壁ブロック１０Ａの後壁１２を当接させることにより位置決めが行われる。こうして上下方向に積み重ねることにより擁壁が階段状に形成される。この構造体を川岸や道路側壁、或いは住宅地の斜面上に配置し、両者の間の隙間にコンクリートなどの結合材を流し込んで固定する。これにより斜面を保護する擁壁が構築される。
こうして構築された擁壁が河川の水中にある場合には、河川の流れが擁壁ブロック１０Ａの左右側壁１３、１４に形成された貫通穴１３１、１４１を通過する際に流速が遅くなるので、各擁壁ブロック１０Ａの底面壁１１、後壁１２、左右側壁１３、１４および上方の擁壁ブロック１０Ａの底面壁で囲まれた空間１０１が魚類などの休息所や川藻類の生育場となり、河川との自然共生を図ることが出来る。
また、陸上に露出した擁壁は、各擁壁ブロック１０Ａの壁面で囲まれた空間１０１内に植物を植えることにより擁壁の表面が植物で覆われるので、心に安らぎを与える擁壁を構築することが出来る。
【００１５】
図１３は擁壁を形成する被擁壁面が緩やかな曲面である場合の施工状況を上方から見た平面図であり、図１４は同要部拡大平面図である。
図に示すように、被擁壁面が緩やかな曲面である場合は、横方向に並ぶ擁壁ブロック１０Ａの左右最突出端面１７０同士の後方側に隙間１７１を設けて施工する。この隙間１７１内にはコンクリートなどの結合材を流し込んで固定する。このとき、左右最突出端面１７０は、後壁１２から前方にかけて所定長さＬ１だけ形成しているので、擁壁ブロック１０Ａ同士は前方では当接しないため、擁壁ブロック１０Ａ同士の後方での隙間１７１を少なくすることができる。従って、この隙間１７１に流し込むコンクリートなどの結合材の量を少なくすることができる。
【００１６】
図１５は擁壁を形成する被擁壁面が急な曲面である場合の施工状況を上方から見た平面図であり、図１６は同要部拡大平面図である。
図に示すように、被擁壁面が急な曲面である場合は、横方向に並ぶ擁壁ブロック１０Ａの一方の左右最突出端面１７０を斜めに裁断して裁断面１７２を形成する。そして、一方の擁壁ブロック１０Ａの左右最突出端面１７０と他方の擁壁ブロック１０Ａの裁断面１７２とを当接させて施工する。なお、一方の擁壁ブロック１０Ａの左右最突出端面１７０と他方の擁壁ブロック１０Ａの裁断面１７２とを当接させても曲面に沿わない場合には、擁壁ブロック１０Ａの左右最突出端面１７０と他方の擁壁ブロック１０Ａの裁断面１７２との後方側に隙間を設けて施工する。そしてこの隙間１７１内にコンクリートなどの結合材を流し込んで固定する。このとき、左右最突出端面１７０は、後壁１２から前方にかけて所定長さＬ１だけ形成しているので、擁壁ブロック１０Ａ同士は前方では当接しない。従って、この隙間に流し込むコンクリートなどの結合材の量を少なくするか又は使用する必要がなくなる。
なお本実施例においても、図６で説明したように擁壁ブロックの後壁を斜め後方に起立させてもよい。また、図８に示すように擁壁ブロックの前面にパネル３０を形成してもよい。また、図９に示すように擁壁ブロックの空間内に金属またはプラスチック製のメッシュ状の籠４０を配置してもよい。
【００１７】
【発明の効果】
本発明によれば、動植物などの自然と共存し、人間にも安らぎを与える護岸用の擁壁ブロックおよびそれを利用した擁壁を提供することができる。
【図面の簡単な説明】
【図１】  本発明の一実施例による擁壁ブロックの全体構成を示す斜視図
【図２】  同擁壁ブロックの側面図
【図３】  同擁壁ブロックで施工した擁壁の正面図
【図４】  同擁壁の側面図
【図５】  同擁壁ブロックで施工した擁壁の他の実施例による平面図
【図６】  本発明の他の実施例による擁壁ブロックの側面図
【図７】  同擁壁ブロックで施工した擁壁の側面図
【図８】  本発明の他の実施例による擁壁ブロックの全体構成を示す斜視図
【図９】  本発明のさらに他の実施例による擁壁ブロックの全体構成を示す斜視図
【図１０】  本発明の他の実施例による擁壁ブロックの全体構成を示す斜視図
【図１１】  同擁壁ブロックの平面図
【図１２】  同擁壁ブロックで施工した擁壁の平面図
【図１３】  同擁壁ブロックで擁壁を形成する被擁壁面が緩やかな曲面である場合の施工状況を上方から見た平面図
【図１４】同要部拡大平面図
【図１５】  同擁壁ブロックで擁壁を形成する被擁壁面が急な曲面である場合の施工状況を上方から見た平面図
【図１６】  同要部拡大平面図
【符号の説明】
１０    擁壁ブロック
１１    底面壁
１２    後壁
１３    左側壁
１４    右側壁
１７    隙間
２０    擁壁
２１    斜面
２２    隙間あ
２３    結合材
３０    パネル
３１    インサート部材
３２    模様
３３    ネジ付ボルト
４０    メッシュ状籠
１０１  空間
１０２  閉鎖空間
１１１、１１２  貫通穴
１１３  ストッパ
１２１、１２２  小穴
１３１、１４１  貫通穴
１３２、１３３、１４２、１４３  貫通小穴
１５１、１５２  インサート部材
１６１、１６２  ボルト
【図１】
0004521973.tif 000002
【図２】
0004521973.tif 000003
【図３】
0004521973.tif 000004
【図４】
0004521973.tif 000005
【図５】
0004521973.tif 000006
【図６】
0004521973.tif 000007
【図７】
0004521973.tif 000008
【図８】
0004521973.tif 000009
【図９】
0004521973.tif 000010
【図１０】
0004521973.tif 000011
【図１１】
0004521973.tif 000012
【図１２】
0004521973.tif 000013
【図１３】
0004521973.tif 000014
【図１４】
0004521973.tif 000015
【図１５】
0004521973.tif 000016
【図１６】
0004521973.tif 000017